(57)【要約】【課題】  積極的な駆動操作を要することなく発電できる発電装置を得る。【解決手段】  発電装置１０では、一対の円盤状永久磁石２０、２２は、一方と他方とで極性が異なる磁極が対向しかつ互いに所定距離離間した状態で回転軸１２によって一体的に連結されており、一対の円盤状永久磁石２０、２２の間に設けられた３個のコイル２４、２６、２８は、その軸心部に設けられた磁性体３０を磁力線が貫くことで磁界中に配置されている。ここで、図示しないケースに振動が作用すると、重心位置が回転中心（回転軸１２）とは異なる位置に設定された回転体１４が回転すると共に、回転体１４に連結された一対の円盤状永久磁石２０、２２が回転する。一対の円盤状永久磁石２０、２２には、それぞれＳ極及びＮ極が周方向に沿って交互に形成されているため、各磁性体３０を通過する磁力線の向きが交互に切り換わり、各コイル２４、２６、２８での磁場が変化する。これにより、各コイル２４、２６、２８に誘導電流が発生し発電する。【選択図】  図１
2007028719.tif 000002
【特許請求の範囲】
【請求項１】
回転可能に支持されると共に、回転中心とは異なる位置に重心が設けられた回転体と、
前記回転体に連結され、前記回転体と一体的に回転する永久磁石と、
前記永久磁石の回転軌跡の近傍に設けられ、前記永久磁石の回転により誘導電流を発生するコイルと、
を備えた発電装置。
【請求項２】
前記永久磁石は、それぞれ円盤状に形成されると共にそれぞれにＳ極及びＮ極が周方向に沿って交互に形成された一対の円盤状永久磁石を備え、
前記一対の円盤状永久磁石は、一方と他方とで極性が異なる磁極が対向しかつ互いに所定距離離間した状態で同軸的に連結され、
前記コイルは、前記一対の円盤状永久磁石の間に設けられ、かつ、軸心部に磁性体を備えた、
ことを特徴とする請求項１記載の発電装置。
【請求項３】
前記永久磁石は、前記回転体に対して前記回転体の回転軸線とは異なる位置に連結されると共に、Ｓ極及びＮ極が前記回転軸線の方向に沿って配列され、
中間部が前記コイルの軸心部を貫通すると共に、前記回転軸線の方向に沿って対向する両端部が前記永久磁石の回転軌跡を挟んで配置され、前記永久磁石が回転した際に前記両端部間を前記永久磁石が通過する磁性体を備えた、
ことを特徴とする請求項１記載の発電装置。
【請求項４】
一端部と他端部とが前記回転体の回転軸線を介して互いに反対側に配置された状態で前記回転体に連結され、前記回転体と一体的に回転する第１磁性体と、
一端部が前記第１磁性体の一端部に対向して配置されると共に他端部が前記第１磁性体の他端部に対向して配置された状態で前記第１磁性体に連結され、前記第１磁性体と一体的に回転する第２磁性体と、
を備え、
前記永久磁石は、
Ｎ極が前記第１磁性体の一端部に固定されると共に、Ｓ極が前記第２磁性体の一端部に対向して配置された第１永久磁石と、
Ｓ極が前記第１磁性体の他端部に固定されると共に、Ｎ極が前記第２磁性体の他端部に対向して配置された第２永久磁石と、
を備え、
前記コイルは、前記第１永久磁石及び前記第２永久磁石の回転軌跡と前記第２磁性体の回転軌跡の間に設けられ、かつ、軸心部に磁性体を備えた、
ことを特徴とする請求項１記載の発電装置。
【発明の詳細な説明】
【技術分野】
【０００１】
本発明は、発電装置に関し、特に携帯可能な発電装置に関する。
【背景技術】
【０００２】
携帯可能な発電装置としては、例えば、手動操作により発電機を駆動し、該発電機に逆起電力を発生させる構成の発電装置が知られている（例えば、特許文献１参照）。
【０００３】
上記構成の発電装置では、片手で操作レバーを反復握持することで発電するので、例えば、電源の確保や乾電池の入手が困難な場所においても、携帯電話などの蓄電池を充電できる。
【０００４】
しかしながら、上記構成の発電装置では、手動にて故意に発電させなければならない構成であるため使用するのが面倒であり、このための対策品の要請があった。
【特許文献１】特開２００３−４７１９９号公報
【発明の開示】
【発明が解決しようとする課題】
【０００５】
本発明は上記事実を考慮し、積極的な駆動操作を要することなく発電できる発電装置を得ることが目的である。
【課題を解決するための手段】
【０００６】
上記課題を解決するために、請求項１に係る発明の発電装置は、回転可能に支持されると共に、回転中心とは異なる位置に重心が設けられた回転体と、前記回転体に連結され、前記回転体と一体的に回転する永久磁石と、前記永久磁石の回転軌跡の近傍に設けられ、前記永久磁石の回転により誘導電流を発生するコイルと、を備えたことを特徴としている。
【０００７】
請求項１記載の発電装置では、回転体は、自らの回転中心と異なる位置に重心が設けられている。このため、本発電装置に振動が作用すると、回転体が回転し、回転体に連結された永久磁石が回転体と一体的に回転する。これにより、永久磁石の回転軌跡の近傍に設けられたコイルに誘導電流が発生する。したがって、例えば、本発電装置を身に付けて歩けば、振動により永久磁石が回転体と一体で回転するので、コイルに誘導電流が発生し、自然にいつの間にか発電する。
【０００８】
このように、請求項１記載の発電装置では、積極的な駆動操作を要することなく発電できる。
【０００９】
請求項２に係る発明の発電装置は、請求項１記載の発電装置において、前記永久磁石は、それぞれ円盤状に形成されると共にそれぞれにＳ極及びＮ極が周方向に沿って交互に形成された一対の円盤状永久磁石を備え、前記一対の円盤状永久磁石は、一方と他方とで極性が異なる磁極が対向しかつ互いに所定距離離間した状態で同軸的に連結され、前記コイルは、前記一対の円盤状永久磁石の間に設けられ、かつ、軸心部に磁性体を備えた、ことを特徴としている。
【００１０】
請求項２記載の発電装置では、一対の円盤状永久磁石は、一方と他方とで極性が異なる磁極が対向しかつ互いに所定距離離間した状態で同軸的に連結されており、一対の円盤状永久磁石の間に設けられたコイルは、その軸心部に設けられた磁性体を磁力線が貫くことで磁界中に配置されている。ここで、本発電装置に振動が作用して回転体が回転すると、回転体に連結された一対の円盤状永久磁石が回転する。一対の円盤状永久磁石には、それぞれＳ極及びＮ極が周方向に沿って交互に形成されているため、磁性体を通過する磁力線の向きが交互に切り換わり、コイルでの磁場が変化する。これにより、コイルに誘導電流が発生し発電する。
【００１１】
請求項３に係る発明の発電装置は、請求項１記載の発電装置において、前記永久磁石は、前記回転体に対して前記回転体の回転軸線とは異なる位置に連結されると共に、Ｓ極及びＮ極が前記回転軸線の方向に沿って配列され、中間部が前記コイルの軸心部を貫通すると共に、前記回転軸線の方向に沿って対向する両端部が前記永久磁石の回転軌跡を挟んで配置され、前記永久磁石が回転した際に前記両端部間を前記永久磁石が通過する磁性体を備えた、ことを特徴としている。
【００１２】
請求項３記載の発電装置では、振動が作用して回転体が回転すると、回転体に連結された永久磁石が回転し、永久磁石の回転軌跡を挟んで対向する磁性体の両端部間を永久磁石が通過する。磁性体の両端部の対向方向は、永久磁石のＳ極及びＮ極の配列方向と一致しているため、磁性体にはその両端部間を永久磁石が通過する際にその一端部から他端部へ向けて磁力線が通過する。このため、磁性体の中間部が軸心部を貫通したコイルでの磁場が変化し、これにより、コイルに誘導電流が発生し発電する。
【００１３】
請求項４に係る発明の発電装置は、請求項１記載の発電装置において、一端部と他端部とが前記回転体の回転軸線を介して互いに反対側に配置された状態で前記回転体に連結され、前記回転体と一体的に回転する第１磁性体と、一端部が前記第１磁性体の一端部に対向して配置されると共に他端部が前記第１磁性体の他端部に対向して配置された状態で前記第１磁性体に連結され、前記第１磁性体と一体的に回転する第２磁性体と、を備え、前記永久磁石は、Ｎ極が前記第１磁性体の一端部に固定されると共に、Ｓ極が前記第２磁性体の一端部に対向して配置された第１永久磁石と、Ｓ極が前記第１磁性体の他端部に固定されると共に、Ｎ極が前記第２磁性体の他端部に対向して配置された第２永久磁石と、を備え、前記コイルは、前記第１永久磁石及び前記第２永久磁石の回転軌跡と前記第２磁性体の回転軌跡の間に設けられ、かつ、軸心部に磁性体を備えた、ことを特徴としている。
【００１４】
請求項４記載の発電装置では、第１磁性体の一端部には第１永久磁石のＮ極が固定されており、第１磁性体の他端部には第２永久磁石のＳ極が固定されている。また、第１永久磁石のＳ極は第２磁性体の一端部に対向しており、第２永久磁石のＮ極は第２磁性体の他端部に対向している。したがって、第２永久磁石→第２磁性体→第１永久磁石→第１磁性体の経路でループ状に磁力線の閉回路が形成されており、第１永久磁石のＳ極と第２磁性体の一端部との間、及び、第２永久磁石のＮ極と第２磁性体の他端部との間には、磁界が形成されている。
【００１５】
ここで、本発電装置に振動が作用して回転体が回転すると、回転体に直接的又は間接的に連結された第１磁性体が第１永久磁石及び第２永久磁石と一体で回転すると共に、第１磁性体に連結された第２磁性体が回転する。第１永久磁石及び第２永久磁石の回転軌跡と第２磁性体の回転軌跡との間にはコイルが設けられており、コイルの軸心部には磁性体が設けられている。このため、第１永久磁石及び第２永久磁石と第２磁性体の回転に伴って磁性体を磁力線が貫くことで、コイルでの磁場が変化し、これにより、コイルに誘導電流が発生し発電する。
【発明の効果】
【００１６】
以上説明した如く、本発明の発電装置では、積極的な駆動操作を要することなく発電できる。
【発明を実施するための最良の形態】
【００１７】
＜第１の実施の形態＞
図１には、本発明の第１の実施の形態に係る発電装置１０の構成が斜視図にて示されている。また、図２には、この発電装置１０の構成が側面図にて示されている。
【００１８】
発電装置１０は、図示しないケースに回転可能に支持された回転軸１２を備えている。回転軸１２の軸線方向一端側には、回転体１４が設けられている。回転体１４は、Ｌ字形の板状に形成されて基端部が回転軸１２に連結固定されたアーム部１６と、該アーム部１６の先端に固定された重り部１８とを備えており、その重心は回転中心（回転軸１２）とは異なる位置（図２に×印で示す位置）に設定されている。このため、本発電装置１０（図示しないケース）に振動が作用すると、回転体１４は回転軸１２と一体で回転するようになっている。
【００１９】
また、発電装置１０は、一対の円盤状永久磁石２０、２２を備えている。円盤状永久磁石２０、２２は、それぞれＳ極とＮ極とが周方向に沿って交互に形成された（本実施の形態では、４つのＳ極と４つのＮ極とが周方向に沿って交互に形成された）円盤状に形成されている。一対の円盤状永久磁石２０、２２の各軸心部には、円形の貫通孔が形成されており、これらの貫通孔に回転軸１２が嵌合することで、一対の円盤状永久磁石２０、２２は、一方と他方とで極性が異なる磁極が対向しかつ互いに所定距離離間した状態で回転軸１２によって同軸的かつ一体的に連結されている。
【００２０】
一対の円盤状永久磁石２０、２２の間には、複数（本実施の形態では３個）のコイル２４、２６、２８が設けられている。これらのコイル２４、２６、２８は、自らの軸線方向が一対の円盤状永久磁石２０、２２の軸線方向に沿った状態で一対の円盤状永久磁石２０、２２に対して同心状に配列されており、一対の円盤状永久磁石２０、２２に接触しない状態で図示しないステーを介して図示しないケースに支持されている。
【００２１】
コイル２４、２６、２８の軸心部には、磁性を有する材料（例えば、鉄など）により円柱状に形成された磁性体３０が各コイル２４、２６、２８に対して同軸的に配置されている。これらの磁性体３０は、軸線方向一端部が一方の円盤状永久磁石２０に近接（対向）し、他端部が他方の円盤状永久磁石２２に近接（対向）した状態で図示しないステーを介して図示しないケースに支持されている。
【００２２】
ここで、本第１の実施の形態に係る発電装置１０では、各磁性体３０は、例えば、一端部が一方の円盤状永久磁石２０のＳ極に対向している状態では、他端部が他方の円盤状永久磁石２２のＮ極に対向するようになっている。一対の円盤状永久磁石２０、２２は、前述した如く、それぞれＳ極及びＮ極が周方向に沿って交互に形成されているため、一対の円盤状永久磁石２０、２２が回転すると、各磁性体３０の一端部が対向する一方の円盤状永久磁石２０の磁極の極性と各磁性体３０の他端部が対向する他方の円盤状永久磁石２２の磁極の極性とが交互に切り換わる構成となっている。すなわち、一対の円盤状永久磁石２０、２２が回転すると、各磁性体３０を貫く磁力線の向きが交互に切り換わるようになっており、これにより、各コイル２４、２６、２８での磁場が変化し、各コイル２４、２６、２８に誘導電流が発生し発電する。
【００２３】
またここで、本第１の実施の形態に係る発電装置１０は、所謂「三相発電機」とされており、図３に示す如く、各コイル２４、２６、２８は、ダイオードＤ１、Ｄ２、Ｄ３、Ｄ４、Ｄ５及びＤ６を含む所謂「三相全波整流回路」を構成している。これにより、各コイル２４、２６、２８に発生した誘導電流は、交流から直流に整流される構成となっており、上記三相全波整流回路の出力は、例えば、図示しない蓄電器に蓄えられる構成となっている。なお、図３では、コイル２４、２６、２８は、所謂「Ｙ結線」の状態に連結されているが、コイル２４、２６、２８を所謂「Δ結線」の状態に連結する構成としてもよい。
次に、本第１の実施の形態の作用について説明する。
【００２４】
上記構成の発電装置１０では、一対の円盤状永久磁石２０、２２は、一方と他方とで極性が異なる磁極が対向しかつ互いに所定距離離間した状態で回転軸１２によって一体的に連結されており、一対の円盤状永久磁石２０、２２の間に設けられた３個のコイル２４、２６、２８は、その軸心部に設けられた磁性体３０を磁力線が貫くことで磁界中に配置されている。
【００２５】
ここで、図示しないケースに振動が作用すると、重心位置が回転中心（回転軸１２）とは異なる位置に設定された回転体１４が回転すると共に、回転体１４に連結された一対の円盤状永久磁石２０、２２が回転する。一対の円盤状永久磁石２０、２２には、それぞれＳ極及びＮ極が周方向に沿って交互に形成されているため、各磁性体３０を通過する磁力線の向きが交互に切り換わり、各コイル２４、２６、２８での磁場が変化する。これにより、各コイル２４、２６、２８に誘導電流が発生し発電する。
【００２６】
したがって、例えば、本発電装置１０（図示しないケース）を身に付けて歩いたり、本発電装置１０を車両に搭載したりすれば、振動により一対の円盤状永久磁石２０、２２が回転体１４と一体で回転するので、各コイル２４、２６、２８に誘導電流が発生し、自然にいつの間にか発電する。
【００２７】
以上説明した如く、本発明の第１の実施の形態に係る発電装置１０では、積極的な駆動操作を要することなく発電できる。
【００２８】
なお、上記第１の実施の形態に係る発電装置１０では、３個のコイル２４、２６、２８を備えた構成としたが、これに限らず、コイルの数は適宜設定変更することができる。
【００２９】
また、上記第１の実施の形態に係る発電装置１０では、アーム部１６と重り部１８により構成された回転体１４を適用して構成したが、これに限らず、例えば、図４に示すような回転体３２を適用して構成してもよい。この回転体３２は、楕円形の板状に形成されたものであり、重心位置が回転中心（回転軸１２）とは異なる位置（図４に×印で示す位置）に設定されている。この点は、以下の実施の形態においても同様である。
【００３０】
さらに、上記第１の実施の形態に係る発電装置１０では、コイル２４、２６、２８に対して一対の円盤状永久磁石２０、２２が回転する構成としたが、これに限らず、永久磁石に対してコイルが回転する構成としてもよい。この点は、以下の実施の形態においても同様である。
【００３１】
次に、本発明の他の実施の形態について説明する。なお、前記第１の実施の形態と基本的に同様の構成・作用については、前記第１の実施の形態と同符号を付与し、その説明を省略する。
＜第２の実施の形態＞
図５には、本発明の第２の実施の形態に係る発電装置４０の構成が斜視図にて示されている。
【００３２】
発電装置４０は、図示しないケースに回転可能に支持された回転軸４２を備えている。回転軸４２の軸線方向一端部には、前記第１の実施の形態に係る回転体１４と同様構成の回転体１４が連結固定されている。このため、本発電装置４０（図示しないケース）に振動が作用すると、回転軸４２が回転体１４と一体で回転するようになっている。
【００３３】
また、回転軸４２の軸線方向中間部には、角柱状に形成された支持部材４４が取り付けられている。支持部材４４は、その長手方向が回転軸４２の軸線方向と直交する状態で配置されており、長手方向中間部に形成された貫通孔に回転軸４２が嵌合することで、回転軸４２に一体的に連結固定されている。
【００３４】
支持部材４４の長手方向両端部には、角柱状に形成された永久磁石４６、４８が固定されている。これら一対の永久磁石４６、４８は、それぞれＳ極及びＮ極が回転軸４２の軸線方向に沿って配列されている。但し、一方の永久磁石４６は、Ｎ極が回転軸４２の軸線方向一端側（図５では上側）に配置されおり、他方の永久磁石４８は、Ｓ極が回転軸４２の軸線方向一端側に配置されている。これら一対の永久磁石４６、４８は、回転軸４２が回転した際に支持部材４４と一体で回転軸４２周りに回転する。
【００３５】
一方、本発電装置４０は、回転軸４２の周囲に等間隔に配列された３個の磁性体５０を備えている。これらの磁性体５０は、磁性を有する材料（例えば、鉄等）により略コ字形に形成されたものであり、その中間部を構成する角柱状の基部５２を備えている。基部５２は、図示しないステーを介して図示しないケースに支持されている。
【００３６】
基部５２の長手方向両端部からは、角柱状に形成された一対の延出部５４、５６が基部５２の長手方向に対して直交する方向へ向けて平行に延出されている。各延出部５４、５６の各先端には、互いに対向する端面にそれぞれ磁性体５０の両端部を構成する一対の対向部５８、６０が突出形成されている。これら一対の対向部５８、６０は、前述した一対の永久磁石４６、４８の回転軌跡を挟んで互いに反対側に配置されており、一対の永久磁石４６、４８が回転した際には、一対の対向部５８、６０の間を一対の永久磁石４６、４８が通過する構成となっている。
【００３７】
さらに、本発電装置４０は、３個のコイル６２、６４、６６を備えている。これらのコイル６２、６４、６６は、それぞれの軸心部を上述した各磁性体５０の基部５２が貫通した状態で各磁性体５０に支持されている。なお、図示はしないが、これらのコイル６２、６４、６６は、前述した第１の実施の形態と同様に所謂「三相全波整流回路」を構成している。
【００３８】
次に、本第２の実施の形態の作用について説明する。
【００３９】
上記構成の発電装置４０では、振動が作用して回転体１４が回転すると、回転体１４に連結された回転軸４２が回転し、支持部材４４及び一対の永久磁石４６、４８が回転軸４２と一体で回転する。これにより、一対の永久磁石４６、４８の回転軌跡を挟んで対向する磁性体５０の一対の対向部５８、６０間を永久磁石４６、４８が通過する。
【００４０】
ここで、一方の永久磁石４６が一対の対向部５８、６０間を通過する際には、一方の対向部５８から他方の対向部６０へ向けて磁力線が磁性体５０内を貫き、他方の永久磁石４８が一対の対向部５８、６０間を通過する際には、他方の対向部６０から一方の対向部５８へ向けて磁力線が磁性体５０内を貫く。このため、各磁性体５０の基部５２が軸心部を貫通したコイル６２、６４、６６での磁場が変化し、これにより、コイル６２、６４、６６に誘導電流が発生し発電する。
【００４１】
したがって、例えば、本発電装置４０（図示しないケース）を身に付けて歩いたり、本発電装置４０を車両に搭載したりすれば、振動により一対の永久磁石４６、４８が回転体１４と一体で回転するので、各コイル６２、６４、６６に誘導電流が発生し、自然にいつの間にか発電する。
【００４２】
以上説明した如く、本発明の第２の実施の形態に係る発電装置４０では、積極的な駆動操作を要することなく発電できる。
【００４３】
なお、上記第２の実施の形態に係る発電装置４０では、３個のコイル６２、６４、６６及びこれらに対応する３個の磁性体５０を備えた構成としたが、これに限らず、コイル及び磁性体の数は適宜設定変更することができる。
【００４４】
また、上記第２の実施の形態に係る発電装置４０では、一対の永久磁石４６、４８を備えた構成としたが、これに限らず、一方の永久磁石を省略した構成としてもよい。
【００４５】
さらに、上記第２の実施の形態に係る発電装置４０では、一対の永久磁石４６、４８は、それぞれＳ極及びＮ極が回転軸４２の軸線方向に沿って配列された構成としたが、これに限らず、一対の永久磁石４６、４８は、それぞれＳ極及びＮ極が回転軸４２の軸線方向に対して傾斜した状態で配列された構成としてもよい。但しこの場合、一対の永久磁石４６、４８の傾斜に対応して磁性体５０も傾斜させる構成となる。
＜第３の実施の形態＞
図６には、本発明の第３の実施の形態に係る発電装置７０の構成が斜視図にて示されている。
【００４６】
発電装置７０は、図示しないケースに回転可能に支持された回転軸７２を備えている。回転軸７２の軸線方向一端部には、前記第１の実施の形態に係る回転体１４と同様構成の回転体１４が連結固定されている。このため、本発電装置７０（図示しないケース）に振動が作用すると、回転軸７２が回転体１４と一体で回転するようになっている。
【００４７】
また、回転軸７２の軸線方向一端部（図６では上側の端部）には、磁性を有する材料（例えば、鉄等）により略コ字形に形成された第１磁性体７４が取り付けられている。第１磁性体７４は、その長手方向が回転軸７２の軸線方向と直交する状態で配置された角柱状のアーム部７６を備えている。アーム部７６は長手方向中間部に形成された貫通孔に回転軸７２が嵌合することで回転軸７２に連結固定されており、回転軸７２と一体的に回転する。アーム部７６の長手方向両端部には、回転軸７２の軸線方向他端側（図６では下側）へ向けてブロック状の永久磁石取付部７８、８０が延出されている。
【００４８】
一方、回転軸７２の軸線方向他端部には、磁性を有する材料（例えば、鉄等）により略コ字形に形成された第２磁性体８２が取り付けられている。第２磁性体８２は、その長手方向が回転軸７２の軸線方向と直交する状態で配置された角柱状のアーム部８４を備えている。アーム部８４は長手方向中間部に形成された貫通孔に回転軸７２が嵌合することで、第１磁性体７４のアーム部７６と平行な状態で回転軸７２に連結固定されており、回転軸７２と一体的に回転する。
【００４９】
アーム部８４の長手方向両端部には、回転軸７２の軸線方向一端側（図６では上側）へ向けてブロック状の対向部８６、８８が延出されている。一方の対向部８６は、第１磁性体７４の一端部（永久磁石取付部７８）に対向しており、他方の対向部８８は、第１磁性体７４の他端部（永久磁石取付部８０）に対向している。
【００５０】
また一方、本発電装置７０は、それぞれ角柱状に形成された一対の永久磁石９０、９２を備えている。一方の永久磁石９０は、Ｎ極が第１磁性体７４の永久磁石取付部７８に固定されており、Ｓ極が第２磁性体８２の対向部８６に対して所定距離離間した状態で対向している。これに対し、他方の永久磁石９２は、Ｓ極が第１磁性体７４の永久磁石取付部８０に固定されており、Ｎ極が第２磁性体８２の対向部８８に対して所定距離離間した状態で対向している。これら一対の永久磁石９０、９２は、回転軸７２、第１磁性体７４、及び第２磁性体８２と一体で回転する。
【００５１】
さらに、本発電装置７０は、複数（本実施の形態では３個）のコイル９４、９６、９８を備えている。これらのコイル９４、９６、９８は、自らの軸線方向が回転軸７２の軸線方向（図示しない回転体１４の回転軸線方向）に沿った状態で第１永久磁石９０及び第２永久磁石９２の回転軌跡と第２磁性体８２の各対向部８６、８８の回転軌跡の間にこれらの回転軌跡と同心状に配列されており、それぞれ図示しないステーを介して図示しないケースに支持されている。なお、図示はしないが、これらのコイル９４、９６、９８は、前述した第１の実施の形態と同様に所謂「三相全波整流回路」を構成している。
【００５２】
また、各コイル９４、９６、９８の軸心部には、磁性を有する材料（例えば、鉄等）により角柱状に形成された磁性体１００が配置されている。これらの磁性体１００は、図示しないステーを介して図示しないケースに支持されている。
【００５３】
次に、本第３の実施の形態の作用について説明する。
【００５４】
上記構成の発電装置７０では、第１磁性体７４の一端部（永久磁石取付部７８）には第１永久磁石９０のＮ極が固定されており、第１磁性体７４の他端部（永久磁石取付部８０）には第２永久磁石９２のＳ極が固定されている。また、第１永久磁石９０のＳ極は第２磁性体の一端部（対向部８６）に対向しており、第２永久磁石９２のＮ極は第２磁性体の他端部（対向部８８）に対向している。したがって、第２永久磁石９２→対向部８８→アーム部８４→対向部８６→第１永久磁石９０→永久磁石取付部７８→アーム部７６→永久磁石取付部８０の経路でループ状に磁力線の閉回路が形成されており、第１永久磁石９０のＳ極と第２磁性体８２の対向部８６との間、及び、第２永久磁石９２のＮ極と第２磁性体８２の対向部８８との間には、磁界が形成されている。
【００５５】
ここで、本発電装置７０に振動が作用して回転体１４が回転すると、回転体１４に連結された回転軸７２が回転する。このため、回転軸７２に連結された第１磁性体７４が第１永久磁石９０及び第２永久磁石９２と一体で回転すると共に、第１磁性体７４に連結された第２磁性体８２が回転する。この回転に伴って第１永久磁石９０と第２磁性体８２の対向部８６とがコイル９４、９６、９８の軸線方向両側を通過する際には、対向部８６から第１永久磁石９０へ向かう磁力線が磁性体１００内を貫く。これに対し、第２永久磁石９２と第２磁性体８２の対向部８８とがコイル９４、９６、９８の軸線方向両側を通過する際には、第２永久磁石９２から第２磁性体８２へ向かう磁力線が磁性体１００内を貫く。これにより、コイル９４、９６、９８での磁場が変化し、コイル９４、９６、９８に誘導電流が発生し発電する。
【００５６】
したがって、例えば、本発電装置７０（図示しないケース）を身に付けて歩いたり、本発電装置７０を車両に搭載したりすれば、振動により一対の永久磁石９０、９２が回転体１４、第１磁性体７４、第２磁性体８２と一体で回転するので、各コイル９４、９６、９８に誘導電流が発生し、自然にいつの間にか発電する。
【００５７】
以上説明した如く、本発明の第３の実施の形態に係る発電装置７０では、積極的な駆動操作を要することなく発電できる。
【００５８】
なお、上記第３の実施の形態に係る発電装置７０では、３個のコイル９４、９６、９８及びこれらに対応する３個の磁性体１００を備えた構成としたが、これに限らず、コイル及び磁性体の数は適宜設定変更することができる。
【図面の簡単な説明】
【００５９】
【図１】本発明の第１の実施の形態に係る発電装置の構成を示す斜視図である。
【図２】本発明の第１の実施の形態に係る発電装置の構成を示す側面図である。
【図３】本発明の第１の実施の形態に係る発電装置の電気回路の構成を示す回路図である。
【図４】本発明の第１の実施の形態に係る発電装置の構成部材である回転体の変形例を示す平面図である。
【図５】本発明の第２の実施の形態に係る発電装置の構成を示す斜視図である。
【図６】本発明の第３の実施の形態に係る発電装置の構成を示す斜視図である。
【符号の説明】
【００６０】
１０・・発電装置、１４・・回転体、２０、２２・・円盤状永久磁石、２４、２６、２８・・コイル、３０・・磁性体、３２・・回転体、４０・・発電装置、４６、４８・・永久磁石、６２、６４、６６・・コイル、５０・・磁性体、７０・・発電装置、７４・・第１磁性体、８２・・第２磁性体、９０、９２・・永久磁石、９４、９６、９８・・コイル、１００・・磁性体
【図１】
2007028719.tif 000003
【図２】
2007028719.tif 000004
【図３】
2007028719.tif 000005
【図４】
2007028719.tif 000006
【図５】
2007028719.tif 000007
【図６】
2007028719.tif 000008